(57)【特許請求の範囲】
【請求項１】
低層建物の上階から下階の床下部へ向けて延びる排水縦管と、
該排水縦管の上端部および下端部に対し、上部継手部および下部継手部を介してそれぞれ接続された上下の排水横管と、を備えて排水を流下させるようにした建物の排水システムにおいて、
前記上部継手部および下部継手部の両方の内部に、排水の流れを受けて、排水による流路閉塞を防止するための通気空間を確保可能な通気空間確保部をそれぞれ設け、
前記上部継手部は、
筒状の継手本体に対し、開口部として、
該継手本体の上側に設けられて前記排水横管の端部を接続可能な横向きの横管接続口と、
前記継手本体の下端部に設けられて前記排水縦管の上端部を接続可能な下向きの縦管接続口と、をそれぞれ１つずつのみ有するものとされ、
前記通気空間確保部が、前記横管接続口から前記継手本体へ入った排水が当たる位置に設けられて、その背面側に前記通気空間を確保可能な縦壁部であり、
前記縦壁部は、上端側の部分が、前記継手本体の内部で開放され、
且つ、前記縦壁部の上端の開放部が、前記横管接続口の高さ寸法の半分よりも高く、かつ、前記横管接続口の上端よりも低い位置に設けられており、
前記縦壁部が、前記継手本体における、前記横管接続口から見て一側となる部分の手前側に設けられて、奥側へ進むに従い他側の奥方へ向かう傾斜リブとされると共に、
該傾斜リブの前記通気空間を挟んで奥側となる部分に、前記傾斜リブとは逆傾斜となる第二の縦壁部が設けられたことを特徴とする建物の排水システム。
【請求項２】
筒状の継手本体に対し、開口部として、
該継手本体の上側に設けられて排水横管の端部を接続可能な横向きの横管接続口と、
前記継手本体の下端部に設けられて排水縦管の上端部を接続可能な下向きの縦管接続口と、をそれぞれ１つずつのみ有し、
前記継手本体は、前記横管接続口から前記継手本体へ入った排水が当たる位置に通気空間を確保可能な通気空間確保部が設けられ、該通気空間確保部は、その背面側に前記通気空間を確保可能な縦壁部であり、
前記縦壁部は、上端側の部分が、前記継手本体の内部で開放され、
且つ、前記縦壁部の上端の開放部が、前記横管接続口の高さ寸法の半分よりも高く、かつ、前記横管接続口の上端よりも低い位置に設けられており、
前記縦壁部が、前記継手本体における、前記横管接続口から見て一側となる部分の手前側に設けられて、奥側へ進むに従い他側の奥方へ向かう傾斜リブとされると共に、
該傾斜リブの前記通気空間を挟んで奥側となる部分に、前記傾斜リブとは逆傾斜となる第二の縦壁部が設けられたことを特徴とする建物の排水システム用継手。
【発明の詳細な説明】
【技術分野】
【０００１】
この発明は、建物の排水システムおよび排水システム用継手に関するものである。
【背景技術】
【０００２】
戸建て住宅やアパート（集合住宅）などのような低層建物には、排水システムが備えられている。このような排水システムは、低層建物の上階から下階の床下部へ向けて延びる排水縦管と、この排水縦管の上端部および下端部に対し、上部継手部および下部継手部を介してそれぞれ接続された上下の排水横管と、を備えて排水を流下させるようにしたものとされる（例えば、特許文献１参照）。
【０００３】
このような排水システムでは、内部に流路閉塞が生じると、負圧が発生したり、圧力変動が生じたりして、上側の排水横管に接続された排水設備に設けられている排水トラップの封水がなくなって（破封して）臭気などが上がって来るようになったり、排水システムに異音や騒音などが発生したりするなどの不具合が生じることになる。そのため、排水システムに通気弁を設置するなどして上記した流路閉塞を防止させるようにしている。
【０００４】
しかし、通気弁は高価なものであるため、通気弁を使わずに流路閉塞を防止できるようにする手段が求められている。そこで、特許文献１では、上部継手部をサイクロンとして排水に旋回流を与えるようにすると共に、下部継手部の内部に真下へ向かって延びる縦リブを設けて下向きの縦リブの出口側に通気空間を確保させるようにして、上記した流路閉塞の防止を図るようにしている。
【先行技術文献】
【特許文献】
【０００５】
【特許文献１】特開平１１−２６９９５１号公報
【発明の概要】
【発明が解決しようとする課題】
【０００６】
しかしながら、特許文献１の排水システムでは、上部継手部をサイクロンとしているが、サイクロンは流路断面を拡大した形状となるため、排水システムの大型化を招くことになる。
【０００７】
また、特許文献１の排水システムでは、下部継手部の内部に真下へ向かって延びる縦リブを設けるようにしているが、縦リブは、排水縦管から流下される排水を直接受けるようなものではなく、むしろ、排水の流れと干渉し難い位置に排水を避けるように設置されているため、僅かな通気空間を確保することしかできなかったので、流路閉塞を防止する効果が小さいものとなっていた。
【０００８】
そこで、本発明は、上記した問題点を解決することを、主な目的としている。
【課題を解決するための手段】
【０００９】
上記課題を解決するために、本発明は、
低層建物の上階から下階の床下部へ向けて延びる排水縦管と、
該排水縦管の上端部および下端部に対し、上部継手部および下部継手部を介してそれぞれ接続された上下の排水横管と、を備えて排水を流下させるようにした建物の排水システムにおいて、
前記上部継手部および下部継手部の両方の内部に、排水の流れを受けて、排水による流路閉塞を防止するための通気空間を確保可能な通気空間確保部をそれぞれ設け、
前記上部継手部は、
筒状の継手本体に対し、開口部として、
該継手本体の上側に設けられて前記排水横管の端部を接続可能な横向きの横管接続口と、
前記継手本体の下端部に設けられて前記排水縦管の上端部を接続可能な下向きの縦管接続口と、をそれぞれ１つずつのみ有するものとされ、
前記通気空間確保部が、前記横管接続口から前記継手本体へ入った排水が当たる位置に設けられて、その背面側に前記通気空間を確保可能な縦壁部であり、
前記縦壁部は、上端側の部分が、前記継手本体の内部で開放され、
且つ、前記縦壁部の上端の開放部が、前記横管接続口の高さ寸法の半分よりも高く、かつ、前記横管接続口の上端よりも低い位置に設けられており、
前記縦壁部が、前記継手本体における、前記横管接続口から見て一側となる部分の手前側に設けられて、奥側へ進むに従い他側の奥方へ向かう傾斜リブとされると共に、
該傾斜リブの前記通気空間を挟んで奥側となる部分に、前記傾斜リブとは逆傾斜となる第二の縦壁部が設けられたことを特徴とする。
【発明の効果】
【００１０】
本発明によれば、上部継手部および下部継手部の両方の内部に、それぞれ排水の流れを受ける通気空間確保部を設けたことで、より大きな通気空間を確保することができるようになるので、上部継手部および下部継手部の内部に排水による流路閉塞が生じるのを防止することができる。
通気空間確保部を、開口部として横管接続口と縦管接続口とをそれぞれ１つずつのみ有している上部継手部の継手本体の内部に設けられた縦壁部とした。これにより、横管接続口から継手本体の内部へ入った排水が縦壁部に直接当って流れを妨げられ、継手本体の奥壁に到達することなく縦壁部に沿って流下されることで、縦壁部の背面側に確実に通気空間を確保することができる。
縦壁部の上端側の部分を、継手本体の内部で開放させるようにした（開放部）。これにより、上端側の開放される部分を大きくすることが容易となるので、筒状部または縦壁部によって形成される通気空間の通気能力を上げて、排水システムの排水性能を向上することができる。
縦壁部の上端の開放部は、横管接続口の高さ寸法の半分よりも高く、かつ、横管接続口の上端よりも低い位置に設けられる。
縦壁部を傾斜リブとした。これにより、継手本体の一側部分における傾斜リブの背面側に通気空間を確保することができる。また、傾斜リブが、横管接続口から入った排水を傾斜リブに沿って継手本体の他側部分の奥方へ案内することにより、排水に旋回流を与えることができる。旋回流は、旋回の中心部に空気芯を作り出すので、一層、流路閉塞を起こし難くすることができる。
そして、傾斜リブの奥側に第二の縦壁部（逆傾斜リブ）を設けた。これにより、旋回流となった排水が奥側から回り込んで通気空間へ入るのを防止することが可能となるので、通気空間を保つことができる。また、第二の縦壁部を傾斜リブとは逆傾斜のものとした。これにより、傾斜リブによって発生した旋回流を妨げないように第二の縦壁部を設けることができる。
【図面の簡単な説明】
【００１１】
【図１】本実施の形態にかかる建物の排水システムの全体斜視図である。
【図２】図１の排水システムにおける、上階の雑排水用の系統を側方から見た図である。
【図３】一般的な上階の雑排水用の系統における排水の流れを示す側面図である。
【図４】上部継手部の第一の例を示す図である。このうち、（ａ）は側方から見た縦断面図、（ｂ）は横管接続部側から見た図、（ｃ）は上面図、（ｄ）は切込部の周辺の部分拡大図である。
【図５】上部継手部の第二の例を示す図である。このうち、（ａ）は側方から見た縦断面図、（ｂ）は横管接続部側から見た図、（ｃ）は底面図である。
【図６】上部継手部の第三の例を示す図である。このうち、（ａ）は側方から見た縦断面図、（ｂ）は蓋部の底面図である。
【図７】上部継手部の第四の例を示す図である。このうち、（ａ）は側方から見た縦断面図、（ｂ）は蓋部の底面図である。
【図８】上部継手部の第五の例を示す図である。このうち、（ａ）は上方から見た横断面図、（ｂ）は側面図である。
【図９】上部継手部の第六の例を示す図である。このうち、（ａ）は上方から見た横断面図、（ｂ）は縦断面図である。
【図１０】図８および図９の場合の具体的な部品構成を示す図である。このうち、（ａ）は組付前の分解斜視図、（ｂ）は（ａ）の側方断面図、（ｃ）は組付後の側方断面図である。
【図１１】下部継手部の第一の例を示す図である。このうち、（ａ）は側方から見た縦断面図、（ｂ）は上面図である。
【図１２】下部継手部の第二の例を示す図である。このうち、（ａ）は側方から見た縦断面図、（ｂ）は上面図である。
【図１３】下部継手部の第三の例を示す図である。このうち、（ａ）斜視図、（ｂ）は側方から見た縦断面図、（ｃ）は上面図である。
【発明を実施するための形態】
【００１２】
以下、本実施の形態を、図面を用いて詳細に説明する。
図１〜図１３は、この実施の形態を説明するためのものである。
【実施例１】
【００１３】
＜構成＞以下、構成について説明する。
【００１４】
図１に示すように、戸建て住宅やアパート（集合住宅）などのような低層建物１１には、排水システム１２が備えられている。このような排水システム１２は、低層建物１１の上階３Ｆ，２Ｆから下階１Ｆの床下部ＵＦへ向けて延びる排水縦管１３と、この排水縦管１３の上端部および下端部に対し、上部継手部１４および下部継手部１５を介してそれぞれ接続された上下の排水横管１６，１７と、を備えて、図２に示すように、排水１８を流下させるようにしたものなどとされる。
【００１５】
ここで、低層建物１１は、概ね、３〜４階程度以下の階数を有する、比較的低い建物のことである。上記した排水システム１２は、汚水用の系統１２Ａと、雑排水用の系統１２Ｂ〜１２Ｄとを分けて、それぞれ別個に構成するようにした場合を示している。このうち、汚水用の系統１２Ａは、各階のトイレ２１を上下方向に結ぶように設けられている。汚水用の系統１２Ａの上端部には、通気弁２２が取付けられている。汚水用の系統１２Ａの下端部は、下階１Ｆの床下部ＵＦにまで延ばされて、床下部ＵＦにほぼ水平状態で設置された排水ヘッダー２３に接続されている。
【００１６】
また、雑排水用の系統１２Ｂ〜１２Ｄは、各階に設置された風呂２４、洗面台２５、洗濯用排水部２６などの各排水設備（のうちの少なくともいずれか）に対し、各階ごとに独立させてそれぞれ設けられている。そして、上階３Ｆ，２Ｆの雑排水用の系統１２Ｂ，１２Ｃでは、上記した各排水設備などが、上側の排水横管１６に接続され、下側の排水横管１７が上記した排水ヘッダー２３に接続されている。また、下階１Ｆの雑排水用の系統１２Ｄでは、上記した各排水設備などが、上記した排水ヘッダー２３に下側の排水横管１７を介して直接的に接続されている。なお、雑排水用の系統１２Ｂ〜１２Ｄについては、特に、通気弁２２などは設置されていない。排水ヘッダー２３にて合流された排水１８は、その後、低層建物１１の外部へ向けて排出される。この実施の形態は、主に、上階３Ｆ，２Ｆの雑排水用の系統１２Ｂ，１２Ｃを対象としている。
但し、汚水用の系統１２Ａと雑排水用の系統１２Ｂ〜１２Ｄとを分けずに、トイレ排水と雑排水とが同一系統に流入するようにしても良い。また、通気弁２２は低層建物１１において最も高い位置まで配管される排水系統（この場合には、系統１２Ｂ）の最も高い位置に設けることによって他の系統（１２Ｃ，１２Ｄ）の破封を防ぐことができるが、必ずしも設けなくとも良い。
【００１７】
そして、排水縦管１３には、各系統１２Ａ〜１２Ｄごとにほぼ均一な流路断面を有してほぼ上下方向へ延びる樹脂管（例えば、塩ビ管など）が使用される。上部継手部１４および下部継手部１５には、同じ系統１２Ａ〜１２Ｄに属する排水縦管１３とほぼ同じ流路断面を有する樹脂継手（例えば、塩ビ継手など）が使用される。なお、上部継手部１４と下部継手部１５とは、１８０°反対側へ向けられているが、両者の取り付けの向きは、これに限るものではない。上下の排水横管１６，１７には、同じ系統１２Ａ〜１２Ｄに属する排水縦管１３とほぼ同じかまたはそれよりも小さい流路断面を有する樹脂管（例えば、塩ビ管など）が使用される。排水横管１６，１７には、所要の排水勾配が設定される。なお、排水縦管１３、上部継手部１４および下部継手部１５、排水横管１６，１７は、流路断面が円形状のものとされている。また、排水縦管１３については、その内面に旋回流を発生させるための螺旋状のガイドを複数設けたものとしても良く、必要に応じて遮音性能を付与するために外層に遮音シートを被覆させるようにしても良く、排水縦管１３として遮音構造を有する管部材を採用しても良い。更に、上記した排水システム１２の各系統１２Ａ〜１２Ｄでは、それぞれ、系統１２Ａ〜１２Ｄの内部を流れる排水１８の水位が、排水横管１６，１７の流路断面のほぼ半分程度以下（即ち、満水の半量程度以下）に抑えられるように、流路断面の大きさが設定されている。
【００１８】
そして、上階３Ｆ，２Ｆの雑排水用の系統１２Ｂ，１２Ｃでは、一般に、図３に示すように、上側の排水横管１６から上部継手部１４へ水平に入った排水１８が、流入の勢いでそのまま上部継手部１４の奥壁に当たって、上部継手部１４の流路断面全体を塞ぐ水膜を形成することにより、流路閉塞（符号ａ参照）を生じる可能性がある。
【００１９】
また、上部継手部１４の奥壁から排水縦管１３の奥壁に沿って下部継手部１５内へ流下した排水１８が、下部継手部１５の出口直前の部分を垂直に落下して出口全体を塞ぐ水膜を形成することで、流路閉塞（符号ｂ参照）を生じる可能性がある。または、上記に加えて、下部継手部１５では、底部に当たって上へ跳ね返った排水１８と後続して落下して来る排水１８とがぶつかり合うなどにより、下部継手部１５の底部で排水１８の流れが滞って出口全体に排水１８が充満することなどによっても、流路閉塞を生じる可能性がある。
【００２０】
そこで、この実施例では、以下のような構成とすることで、流路閉塞を防止させるようにしている。
【００２１】
なお、以下の説明において、図４〜図１０は、それぞれ、上部継手部１４の第一〜第六の例に関するものである。また、図１１〜図１３は、それぞれ、下部継手部１５の第一〜第三の例に関するものである。なお、上部継手部１４と下部継手部１５とは、図４〜図１０のいずれかと、図１１〜図１３のいずれかとを、目的に応じて、適宜組み合わせて使用することができるようになっている。
【００２２】
（構成１）
図２に示すように、上記上部継手部１４および下部継手部１５の両方の内部に、排水１８の流れを受けて、排水１８による流路閉塞を防止するための通気空間３１を確保可能な通気空間確保部３２をそれぞれ設けるようにする。
【００２３】
ここで、通気空間確保部３２は、排水１８の流れを受ける機能と、通気空間３１を確保する機能とを有するものとされる。なお、排水１８の流れは排水１８の水量や水勢などによってそれぞれ異なるものとなるが、通気空間確保部３２は、流路閉塞が起こるような排水１８の流れを受けることができれば良く、流路閉塞が起こるおそれのない水量が少ない場合や水勢が弱い場合にまで排水１８の流れを受ける必要はない。
【００２４】
通気空間３１とは、上部継手部１４および下部継手部１５の内部に空気３３が通過する経路を確保させるための空間である。通気空間３１は、通気空間確保部３２における排水１８の流れを受ける部分の背面側や下流側近傍などに形成される。通気空間確保部３２については後述する。
【００２５】
（構成２）
より具体的には、例えば、図４〜図９のいずれかの例（主に図４参照）に示すように、上記上部継手部１４は、
筒状の継手本体３５と、
この継手本体３５の上側に設けられて上記排水横管１６の端部を接続可能な横向きの横管接続口３６と、
上記継手本体３５の下端部に設けられて上記排水縦管１３の上端部を接続可能な下向きの縦管接続口３７と、を有するものとされる。
そして、図４〜図６のいずれかの例（主に図４参照）に示すように、上記通気空間確保部３２が、上記横管接続口３６から上記継手本体３５へ入った排水１８が当たる位置に設けられて、その内部に上記通気空間３１を確保可能な筒状部４１とされる。
または、図７〜図９のいずれかの例（主に図７参照）に示すように、上記通気空間確保部３２が、上記横管接続口３６から上記継手本体３５へ入った排水１８が当たる位置に設けられて、その背面側に上記通気空間３１を確保可能な縦壁部４２とされる。
【００２６】
ここで、継手本体３５には、屈曲形状をしたエルボ（例えば、図４参照）や、枝分かれ形状をしたチーズ（例えば、図６参照）などを使用することができる。また、横管接続口３６や縦管接続口３７は、受口部または差口部などとすることができる。
【００２７】
通気空間確保部３２を構成する筒状部４１や縦壁部４２は、継手本体３５に対して一体に形成しても良いし（例えば、図４参照）、または、継手本体３５とは別体に形成しても良い（例えば、図６参照）。
【００２８】
図４〜図６のいずれかの例（主に図４参照）に示す筒状部４１は、文字通り筒状をしたもののことである。図４の例の場合、筒状部４１は、例えば、横管接続口３６から縦管接続口３７へ向けて屈曲する継手本体３５の外周側の部分に沿って連続して設けられている。この場合、継手本体３５の横管接続口３６の中心軸と縦管接続口３７の中心軸が成す角度はほぼ９０°の直角形状とされて、筒状部４１が直角形状に沿った横筒部分と縦筒部分とを有するものとされている。筒状部４１の両端部は、それぞれ横管接続口３６および縦管接続口３７の位置で開放されている。継手本体３５や筒状部４１をこのような形状とすることにより、継手本体３５の形状を単純化して筒状部４１を設け易くすることができる。しかも、横管接続口３６と縦管接続口３７とを逆にして使用することなども可能となる。なお、上側の排水横管１６に継手本体３５へ向かって下りとなる排水勾配を設けるために、上部継手部１４の横管接続口３６の中心軸と縦管接続口３７の中心軸とが成す角度については、厳密な直角ではなく若干の角度（例えば、９１．１°など）を付けるようにしても良い。
【００２９】
加えて、図４（ａ）に示すように、筒状部４１の出入口部の周辺に対し、排水横管１６や排水縦管１３を横管接続口３６や縦管接続口３７に対して接着固定する接着剤を逃がすための溝部４３を設けることができる。また、図４（ｄ）に示すように、筒状部４１の端部を継手本体３５の内部に開放させるための切込部４４などを設けることができる。
【００３０】
一方、図７〜図９のいずれかの例（主に図７参照）に示す縦壁部４２は、文字通り上下方向に延びる縦壁状をしたもののことである。通気空間３１は、縦壁部４２の背面と継手本体３５の奥壁との間の間隙に形成される。図７の例の場合、縦壁部４２は、例えば、横管接続口３６の側へ向かって凸となる半円筒面状または曲面状のものなどとされている。
【００３１】
（構成３）
また、図５〜図７の例（主に図５参照）に示すように、上記筒状部４１または縦壁部４２は、上端側の部分が、上記継手本体３５の内部で開放されるようにしても良い（開放部４５）。
【００３２】
ここで、筒状部４１または縦壁部４２の上端の開放部４５は、横管接続口３６の高さ寸法の半分よりも高い位置で、しかも、排水１８が上方から入り込まない程度以上の高さとなる位置に設定する。
【００３３】
図５の例の場合、筒状部４１は、縦筒部分のみのものとされている。このようにすることにより、型抜きが容易となるので、図４の例の場合よりも筒状部４１の断面形状を大きくすることができる。同様に、図６の例の筒状部４１も、縦筒部分のみとなっている。
【００３４】
（構成４）
または、図６または図７の例（主に図６参照）に示すように、上記継手本体３５の上端部に点検口部５１が形成されるようにしても良い。
そして、上記筒状部４１または縦壁部４２が、上記点検口部５１に対して開閉可能に取付けられた蓋部５２に設置されるようにしても良い。
【００３５】
ここで、点検口部５１は、縦管接続口３７の真上に位置するものなどとされている。また、蓋部５２は、例えば、大径部と小径部とを上下に一体に有する二重円板状のものなどとされている。点検口部５１と小径部との間には、ネジ部５５が設けられている。大径部と小径部との間の段差部分にはシールリング５６が嵌着されている。また、大径部の外面（上面）には、蓋部５２を手で開閉するための把持部５７が一体に突設されている。そして、筒状部４１や縦壁部４２を周方向に対して適正な位置に停止させるために、点検口部５１と蓋部５２との間にマークやストッパなどを設けるようにしても良い。
【００３６】
そして、筒状部４１または縦壁部４２は、蓋部５２に対し、連結部５８を介して一体に連結されている。図６、図７の例の場合、継手本体３５が、上記したように、横向きＴ字状の枝分かれ形状をしたチーズなどとなっており、上端側の受口部を点検口部５１として利用するようにしている。このように筒状部４１または縦壁部４２を蓋部５２に対して設けることにより、筒状部４１または縦壁部４２が継手本体３５とは別体化されて形状自由度が上がるので、図４や図５の例の場合よりも筒状部４１や縦壁部４２の断面形状を大きくすることが可能となる。
【００３７】
（構成５）
或いは、図８または図９の例（主に図８参照）に示すように、上記縦壁部４２が、上記継手本体３５における、上記横管接続口３６から見て一側となる部分の手前側に設けられて、奥側へ進むに従い他側の奥方へ向かう傾斜リブ６１とされても良い。
更に、この傾斜リブ６１の上記通気空間３１を挟んで奥側となる部分に、上記傾斜リブ６１とは逆傾斜となる第二の縦壁部６２（逆傾斜リブ）を設けるようにしても良い。
【００３８】
ここで、傾斜リブ６１および第二の縦壁部６２は、継手本体３５に対して一体に形成しても良い。図８の例の場合、傾斜リブ６１および第二の縦壁部６２は、平面的に見て縦管接続口３７の中心部の位置にまで達しない長さのものとされている。傾斜リブ６１および第二の縦壁部６２は、継手本体３５の一側壁に対して３０°〜４５°程度以下の角度を有して突設されている。傾斜リブ６１は、例えば、平面状のものとされる。或いは、特に図示しないが、傾斜リブ６１は、例えば、横管接続口３６へ向かって凸となる曲面状のものなどとしても良い。また、第二の縦壁部６２は、平面状のものとされている。或いは、特に図示しないが、第二の縦壁部６２は、例えば、横管接続口３６へ向かって凹となる曲面状のものなどとしても良い。なお、図９の例は、図８の例のものを左右反対勝手にしたものである。
【００３９】
さらに、図８または図９の例においては、図１０に示すように、傾斜リブ６１を継手本体３５とは別の部材として構成しても良い。この場合、傾斜リブ６１は、横管接続口３６と継手本体３５との間の段差部などに係止可能なリング状の部材６３に対して一体的に設けられるようにしている。リング状の部材６３は、横管接続口３６へ嵌合されて接着により固定されるようになっている。更に、リング状の部材６３と継手本体３５との間に、互いに係合および周方向の位置決めが可能な係合凸部６４および係合凹部６５を設けるようにしても良い。このように、傾斜リブ６１を継手本体３５とは別の部材とすることにより、傾斜リブ６１を継手本体３５と一体とするよりも、型抜きが単純化され、成形が容易となって便宜が良い。
【００４０】
（構成６）
一方、図１１〜図１３の例に示すように、上記下部継手部１５は、
筒状の継手本体７１と、
この継手本体７１の上端部に設けられて上記排水縦管１３の下端部を接続可能な上向きの縦管接続口７２と、
上記継手本体７１の下端部に設けられて上記排水横管１７の端部を接続可能な横向きの横管接続口７３と、を有するものとされる。
そして、上記通気空間確保部３２が、上記排水縦管１３を落下する排水１８が当たる位置に設けられて、その下面側に上記通気空間３１を確保可能な横壁部７４とされる。
【００４１】
ここで、下部継手部１５については、上部継手部１４とほぼ同様のものとすることができる。横壁部７４は、横向きで排水１８が直接当たるようになっていればどのようなものであっても良い。例えば、図１１の例の場合、横壁部７４は、継手本体７１の内周側の部分からほぼ水平方向へ延びる庇状のものとされている。この場合、横壁部７４は、流路断面のほぼ半分を覆うような半円形状のものとされている。但し、横壁部７４は、仮想線で示すように、周方向の幅を均一にしたものなどとしても良い。
【００４２】
（構成７）
図１２の例に示すように、上記横壁部７４を、上記横管接続口７３の上側に設けられて、横管接続口７３とは反対側へ進むに従い下方へ向かう下り勾配の下向傾斜リブ７５としても良い。
【００４３】
ここで、下向傾斜リブ７５は、水平方向に対し、下向きに４５°よりも小さい角度で傾斜するものなどとされる。図１２の例の場合、下向傾斜リブ７５は、図１１の例の横壁部７４を１０°〜２０°程度下向きに傾けると共に、周方向の幅を均一にしたものなどとされる。下向傾斜リブ７５は、継手本体７１の内周側の部分における、半周分程度以下の範囲に亘って設けられている。
【００４４】
（構成８）
図１３の例に示すように、上記横壁部７４が、上記継手本体７１の内周面に沿って螺旋状に延びる旋回羽根７８としても良い。
【００４５】
ここで、旋回羽根７８は、下部継手部１５の上側の縦管接続口７２を上方へ長く延長して成る縦管部７９の下部に対して設けるようにしている。縦管部７９は、下部継手部１５と一体に形成しても良いし、或いは、下部継手部１５と別体に形成しても良い。旋回羽根７８は、横管接続口７３の上側に設けられる。旋回羽根７８は、図１１の例の横壁部７４（水平リブ）を螺旋状にしたものとしても良いし、図１２の例の下向傾斜リブ７５を螺旋状にしたものとしても良い。図１３の例の場合には、後者とされている。
【００４６】
なお、旋回羽根７８による排水１８の旋回方向は、上記した上部継手部１４の傾斜リブ６１による排水１８の旋回方向や、排水縦管１３内を流れる排水１８に対して自然に生じる旋回の方向などと、その方向を合わせるように設けるのが好ましい。例えば、北半球では、コリオリの力によって排水１８に発生する旋回方向は反時計回りとなるので、図１３の例の旋回羽根７８と図８の例の傾斜リブ６１とは、反時計回りの旋回流が発生するように方向に揃えるのが好ましい。また、下側の排水横管１７に継手本体７１から下りとなる排水勾配を設けるために、下部継手部１５の横管接続口７３の中心軸と縦管接続口７２の中心軸とが成す角度については、厳密な直角ではなく若干の角度（例えば、９１．１°など）を付けるようにしても良い。
【００４７】
＜作用効果＞この実施例によれば、以下のような作用効果を得ることができる。
【００４８】
（作用効果１）
建物の排水システム１２では、建物の上階３Ｆ，２Ｆに設置された排水設備からの排水１８は、上側の排水横管１６、上部継手部１４、排水縦管１３、下部継手部１５を介して、下側の排水横管１７へと流下され、排水ヘッダー２３で合流された後、建物の外部へと排出される。
【００４９】
この際、上部継手部１４および下部継手部１５の両方の内部にそれぞれ通気空間確保部３２を設けた。そのため、通気空間確保部３２によって上部継手部１４および下部継手部１５の内部に通気空間３１が確保されるので、上部継手部１４および下部継手部１５の内部で排水１８による流路閉塞が生じるのを防止することができる。しかも、通気空間確保部３２を、排水１８の流れを受けて、通気空間３１を確保するものとした。これにより、通気空間確保部３２は、受けた排水１８の流れを積極的に変えることで、背面側に十分な大きさの通気空間３１を（積極的または強制的に）確保することが可能となる。
【００５０】
よって、上記したように、上部継手部１４および下部継手部１５で比較的大きな通気空間３１が確保され、排水１８の流れがスムーズに行われることで、排水１８による流路閉塞を有効に防止することが可能となる。
【００５１】
その結果、流路閉塞による負圧の発生や圧力変動が原因となって、上側の排水横管１６に接続された排水設備に設けられている排水トラップの封水がなくなったり（破封）、排水システム１２に異音や騒音などが発生したりする不具合が防止できる。よって、排水トラップの破封による臭気などの上昇をなくすと共に、異音対策のために排水システム１２に遮音材を巻き付けたり、配管を遮音管などで二重化したりする必要性をなくすことができる。
【００５２】
また、排水縦管１３に対し、上記した上部継手部１４および下部継手部１５を介して上下の排水横管１６，１７を接続するだけで、通気空間３１の確保がなされた排水システム１２を構築することができるので、通気性を確保するために、排水システム１２に高価な通気弁２２を取付けたり、排水システム１２に別の通気専用経路を設けたりする必要などがなくなって、構成が簡略化されると共に、施工性が向上する。しかも、上記した上部継手部１４および下部継手部１５は、大きさや形状が通常のものとほぼ同じにすることができるので、排水システム１２の大型化を招くことがない。更に、この排水システム１２においても、通気弁２２を設置することはできるが、上記したように特に通気弁２２を設置する必要性もなくなるので、高価な通気弁２２をなくしてコストダウンを図ることができる。なお、建物が傾斜地に構築されるなどによって、所定以上の高低差が存在しているような場合には、下階１Ｆと下階１Ｆの床下部ＵＦとの間の排水システム１２に対しても、上記構成を採用することができる。
【００５３】
（作用効果２）
通気空間確保部３２を、上部継手部１４の継手本体３５の内部に設けられた筒状部４１とした。これにより、横管接続口３６から継手本体３５の内部へ入った排水１８が筒状部４１に直接当たっても、筒状部４１の内部には排水１８が入り込まないので、筒状部４１の内部に確実に通気空間３１を確保することができる。
【００５４】
または、通気空間確保部３２を、上部継手部１４の継手本体３５の内部に設けられた縦壁部４２とした。これにより、横管接続口３６から継手本体３５の内部へ入った排水１８が縦壁部４２に直接当って流れを妨げられ、継手本体３５の奥壁に到達することなく縦壁部４２に沿って流下されることで、縦壁部４２の背面側に確実に通気空間３１を確保することができる。
【００５５】
（作用効果３）
筒状部４１または縦壁部４２の上端側の部分を、継手本体３５の内部で開放させるようにした（開放部４５）。これにより、上端側の開放される部分を大きくすることが容易となるので、筒状部４１または縦壁部４２によって形成される通気空間３１の通気能力を上げて、排水システム１２の排水性能を向上することができる。
【００５６】
（作用効果４）
継手本体３５の上端部に点検口部５１を設けた。これにより、排水システム１２の点検を容易に行うことができる。
【００５７】
また、筒状部４１または縦壁部４２を、点検口部５１の着脱可能な蓋部５２に対して設置した。これにより、筒状部４１または縦壁部４２を設け易くすると共に、これらの形状自由度を上げて、通気空間３１をより大きく確保することなどが可能となり、排水システム１２を大流量時においても流路閉塞を起こし難いものとすることができる。
【００５８】
（作用効果５）
縦壁部４２を傾斜リブ６１とした。これにより、継手本体３５の一側部分における傾斜リブ６１の背面側に通気空間３１を確保することができる。また、傾斜リブ６１が、横管接続口３６から入った排水１８を傾斜リブ６１に沿って継手本体３５の他側部分の奥方へ案内することにより、排水１８に旋回流を与えることができる。旋回流は、旋回の中心部に空気芯を作り出すので、一層、流路閉塞を起こし難くすることができる。
【００５９】
そして、傾斜リブ６１の奥側に第二の縦壁部６２（逆傾斜リブ）を設けた。これにより、旋回流となった排水１８が奥側から回り込んで通気空間３１へ入るのを防止することが可能となるので、通気空間３１を保つことができる。また、第二の縦壁部６２を傾斜リブ６１とは逆傾斜のものとした。これにより、傾斜リブ６１によって発生した旋回流を妨げないように第二の縦壁部６２を設けることができる。
【００６０】
（作用効果６）
通気空間確保部３２を、下部継手部１５の継手本体７１の内部に設けられた横壁部７４とした。これにより、排水縦管１３を落下する排水１８が横壁部７４に直接当って落下を妨げられ流れを変えられることで、横壁部７４の下面側に十分な大きさの通気空間３１を確保することができる。
【００６１】
（作用効果７）
横壁部７４を下向傾斜リブ７５とした。これにより、下向傾斜リブ７５の下側における、横管接続口７３の入口周辺に通気空間３１を確保することができる。また、下向傾斜リブ７５が、排水縦管１３を落下する排水１８を直接受けて継手本体７１の横管接続口７３とは反対の側（外周側）の部分へ向け斜めに案内するので、下部継手部１５の下部における排水１８の流れを下部継手部１５の継手本体７１における外周側の部分に沿ったスムーズなものとすることができる。これにより、排水１８が乱れのない整った流れとなって横管接続口７３へ向かうようになるので、一層、流路閉塞を起こし難くすることができる。また、下向傾斜リブ７５が、排水縦管１３を落下する排水１８を直接受けて勢いを減衰させたり、排水１８の流れを旋回させたりすることにより、下部継手部１５の底部に対して排水１８が直撃しなくなるので、排水１８の落下衝撃音などを低減することができる。
【００６２】
（作用効果８）
横壁部７４を旋回羽根７８とした。これにより、旋回羽根７８に沿って排水１８が螺旋状に流れることにより、排水１８に旋回流を与えることができる。以って、一層、流路閉塞を起こし難くすることができる。
【００６３】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６４】
１Ｆ  下階
２Ｆ  上階
３Ｆ  上階
ＵＦ  床下部
１１  低層建物
１３  排水縦管
１４  上部継手部
１５  下部継手部
１６  排水横管
１７  排水横管
１８  排水
３１  通気空間
３２  通気空間確保部
３５  継手本体
３６  横管接続口
３７  縦管接続口
４１  筒状部
４２  縦壁部
４５  開放部
５１  点検口部
５２  蓋部
６１  傾斜リブ
６２  第二の縦壁部
７１  継手本体
７２  縦管接続口
７３  横管接続口
７４  横壁部
７８  旋回羽根
【図１】
0006693693.tif 000002
【図２】
0006693693.tif 000003
【図３】
0006693693.tif 000004
【図４】
0006693693.tif 000005
【図５】
0006693693.tif 000006
【図６】
0006693693.tif 000007
【図７】
0006693693.tif 000008
【図８】
0006693693.tif 000009
【図９】
0006693693.tif 000010
【図１０】
0006693693.tif 000011
【図１１】
0006693693.tif 000012
【図１２】
0006693693.tif 000013
【図１３】
0006693693.tif 000014